(57)【要約】本発明は、手動モード及びＡＥＤモードの両モードをもち、両モードに対応するユーザコマンドをもつ除細動器に適用される。除細動器は、手動ユーザコマンドを隠す扉を備え、扉の開放により除細動器が手動モードに入り、同時に手動モードコマンドボタンが現れるようになっている。実際の１実施形態では、扉は、ＡＥＤモードのユーザコマンドにアクセス可能な開口を備える。扉が開放位置にあるとき、好適にはボタンの形態をとる手動コマンドを有するキーパッドが現れる。実際の他の実施形態では、扉は、ドアの開放時期を検知し、除細動器を手動モードにするスイッチを備える。扉の前面には、ＡＥＤコマンドボタンがあり、背面には手動モードコマンドボタンがある。扉は、さらに他の手動モードのコマンドボタンを有するキーパッドを隠している。
2004512909.tif 000002
【特許請求の範囲】
【請求項１】
隠されたモードに切換えるスイッチと、
前記スイッチと関連して動作する扉とを備え、
前記スイッチが閉成位置にある前記扉で駆動されることによって、第１モードから第２モードへ変更される複数のモードをもつ除細動器。
【請求項２】
前記第１モードがＡＥＤモードであり、前記第２モードが手動モードである請求項１に記載の除細動器。
【請求項３】
前記扉は前記第２モードを隠している請求項２に記載の除細動器。
【請求項４】
前記扉は第１モードユーザコマンドにアクセスするための複数の開口を備える請求項３に記載の除細動器。
【請求項５】
前記扉は前記モード変更スイッチに連絡する駆動体である請求項４に記載の除細動器。
【請求項６】
前記駆動体は、ラッチと突起を有する請求項５に記載の除細動器。
【請求項７】
前記スイッチは、前記扉が閉のときアクセス可能である請求項６に記載の除細動器。
【請求項８】
前記第２モードユーザコマンドは押しボタンである請求項７に記載の除細動器。
【請求項９】
前記モード変更スイッチにより、除細動器を第１モードにする他のユーザ入力がないうちは、除細動器を第１モードから第２モードへ変更する請求項１に記載の除細動器。
【請求項１０】
前記ユーザ入力は、除細動器の電源を切ってから電源を入れる事を含む請求項９に記載の除細動器。
【請求項１１】
第１モード及び第２モードをもつ除細動器であって、
隠されたモードに切換えるスイッチと、
前記スイッチと関連して動作する扉とを備え、
さらに他のユーザ入力によって第１モードとされるまで、前記スイッチによって前記除細動器を第１モードから第２モードへ変更できる除細動器。
【請求項１２】
前記ユーザ入力は、除細動器の電源を切ってから電源を入れることを含む請求項１１に記載の除細動器。
【請求項１３】
前記扉は、第２モードユーザコマンドを隠している請求項１１に記載の除細動器。
【請求項１４】
前記扉は第１及び第２側面を有し、第１側面に第１ユーザモードユーザコマンドが配置され、第２側面には第２モードユーザコマンドが配置される請求項１３に記載の除細動器。
【請求項１５】
第１モードはＡＥＤモードであり、第２モードは手動モードである請求項１４に記載の除細動器。
【請求項１６】
第２モードユーザコマンドは押しボタンである請求項１５に記載の除細動器。
【請求項１７】
第１モード及び第２モードをもつ除細動器であって、
隠されたモードに切換えるスイッチと、
前記モード切換スイッチをトリガー可能な扉とを備え、
前記扉は、扉閉成時には第２モードユーザコマンドを隠し、扉に関連する動作があればいつでも前記モード切換スイッチが前記除細動器を第２モードに変更する除細動器。
【請求項１８】
前記ユーザコマンドはボタンである請求項１７に記載の除細動器。
【請求項１９】
前記第１モードは、ＡＥＤモードであり、第２モードは手動モードである請求項１８に記載の除細動器。
【請求項２０】
前記動作は、扉の開錠である請求項１９に記載の除細動器。
【請求項２１】
前記動作は、扉の開放である請求項１９に記載の除細動器。
【請求項２２】
手動モードで除細動器を操作する手動コマンドボタンと、
ＡＥＤモードで除細動器を操作するＡＥＤコマンドボタンと、
前記手動コマンドボタンを隠し、前記ＡＥＤコマンドボタンを現す、除細動器に取り付けられた扉とを備える体外式除細動器。
【請求項２３】
前記扉は、前記ＡＥＤコマンドボタンを表すための複数の開口を備える請求項２２に記載の除細動器。
【請求項２４】
前記扉の閉成時前記扉によって覆われるモード切換スイッチを備える請求項２３に記載の除細動器。
【請求項２５】
前記扉の閉成時に前記スイッチにアクセスする駆動体を、前記扉がさらに備える請求項２４に記載の除細動器。
【請求項２６】
前記スイッチは、前記扉の開放時に駆動される請求項２５に記載の除細動器。
【請求項２７】
前記扉は第１及び第２側面を備え、前記ＡＥＤコマンドボタンは前記第１側面に配置され、前記手動コマンドボタンは第２側面に配置される請求項２２に記載の除細動器。
【請求項２８】
前記扉の開放時に駆動されるモード変換スイッチをさらに含む請求項２７に記載の除細動器。
【請求項２９】
モード切換扉を備える除細動器の使用方法であって、
前記除細動器の電源投入時前記除細動器を第１モードとするステップと、
前記モード切換扉を開放することにより前記除細動器を第２モードとするステップと、
前記除細動器の電源を切った後電源を入れることにより前記除細動器を第１モードに戻すステップとを備える除細動器の使用方法。
【請求項３０】
どのモードであってもモード変換扉を閉成しても、前記除細動器を異なるモードにはしない請求項２９に記載の除細動器。
【請求項３１】
前記第１モードはＡＥＤモードであり、前記第２モードは手動モードである請求項２９に記載の除細動器。
【発明の詳細な説明】
【０００１】
関連出願の相互参照
この出願は、２０００年１１月２３日に出願された米国仮特許出願第６０／２４８，１８４の利益を主張する。該仮出願は本明細書に参考のために組み込まれる。
［発明の属する技術分野］
この発明は除細動器に関し、特に、ユーザが除細動器をＡＥＤモードで動作させることができ、また手動モードに素早く切換ることができる、そのような複数モードインタフェースをもつ除細動器に関する。
［発明の背景］
心臓発作から救われる可能性は、どれだけ早く適切な医療が提供されるかに大きく依存する。心臓発作の最も一般的で命にかかわることは、心臓の不整脈に至ることで、例えば心室細動が起こると心臓が大量の血液を汲み上げることができなくなる。このような不整脈が起こると、数分以内に通常の心臓の鼓動が回復しなければ、重大な脳障害及び脳死に至る可能性がある。心室細動の最も効果的な処置は、強い電気ショックを患者に与えることである。そのような電気ショックによってしばしば、不整脈の特徴である無秩序な作用を終らせ、通常の心臓のポンプ作用を回復させる。このようなショックを生成して与える除細動器は公知であり、多年にわたって用いられ成功している。しかしながら、従来の除細動器の寸法及び費用では、適切に用いなければ起こる危険性とあいまって、除細動器の使用を病院や救急医療施設に限定することになっていた。除細動器が、心臓発作の患者により早期に利用されることができれば、毎年多くの生命が救われることであろう。
【０００２】
エレクトロニクスの進歩により、小型で軽量な自動除細動器が製造可能になり、この除細動器は、患者が移動ベッドで運ばれている間患者に並んで手で運ぶことができるほど十分な携帯性をもつ。除細動器はまた、人が集まる公共の場所の多くで利用可能である。救命装置のこのような急増に対して、高度な資格をもつ人だけでなく、未経験な人によっても使用可能な除細動器が、必要とされる。いわゆる自動体外式除細動器（ＡＥＤ）は、たまにしか使用しない人を念頭において設計されている。ＡＥＤは、一般的に、使用したことがない人でも、わずかな基本的な訓練のみで除細動器を安心して使用できるようにする簡単な手順を備えている。たいていのＡＥＤは、代表的には「半自動モード」で動作する。例えば、メドトロニック・フィジオ−コントロール社によって製造されたＬＩＦＥＰＡＣＫ（登録商標）５００ＡＥＤ及びアジレント・テクノロジーによって製造されたＦＯＲＥＲＵＮＮＥＲ（商標）ＡＥＤには、少なくとも２個のコマンドボタンを備え、（１）１つは「オン」ボタンであり、（２）もう１つは「ショック」ボタンで、患者に除細動パルスを与える。さらに、ＬＩＦＥＰＡＣＫ（登録商標）５００ＡＥＤは、第３のボタンを備え、これにより、ＡＥＤが患者を解析するように促し、患者の心臓の鼓動又は心電図（ＥＣＧ）をモニタすることによって、ショック治療が必要か否かを判定する。ボタンを押して、手動による「ショック」治療を施すことは、ユーザに事の重大性を知らせることになる。しかしながら、「ショック」ボタンは取り去ることができ、この場合ＡＥＤは、患者に除細動パルスを自動的に与え、ショックを与える鼓動の検出に人手を介することがない。このようなＡＥＤは、一般的に「自動」モードで動作すると言われる。以下の説明のためには、「ＡＥＤモード」の用語は、自動又は半自動のどちらにも用いられる。
【０００３】
ＡＥＤを制御する操作は直観的に理解できるように見えるかもしれないが、ＡＥＤが、強くストレスがかかっている状況で使用され、そこにはじっくり考える時間はほとんどないことを思い出すべきである。要するに、救助者は素早く行動しなければならないし、装置の複雑な要素の操作を解読する時間はほとんどなく、まして救助者は、その装置に関して基礎訓練しか受けていないかもしれない。したがって、ＡＥＤのユーザインタフェースは、できるだけ簡単でまぎれがあってはならない。しかしながら、ＡＥＤ製造者はまた。その後治療を施す場所に到着する、高度な訓練を受けた人々に対して、より高機能な操作を提供しようと努力してもいる。これら経験豊富な治療者は、患者へのショック治療をより個別に調整するための多くのユーザコマンドが配列された除細動器に、十分満足している。したがって、めったに使用しない救助者用の簡単なモードあるいは「ＡＥＤモード」と、熟練の救助者用の「手動モード」とを、１台の除細動器に組合せることが試みられている。目的は、視覚的に整理された外観を提供すること、及びめったに使用しない救助者が混乱しないように、その救助者用にモード間で何らかの差をつけること、その一方で同時に高度に訓練された救助者に対して、多数のユーザ手動入力コマンドを提供することである。
【０００４】
手動モードとＡＥＤモード間でさまざまな程度の区別をつけることに関して、いくつかのアプローチが試みられてきた。例えばメドトロニック・フィジオ−コントロール社によって製造されたＬＩＦＥＰＡＣＫ（登録商標）３００ＡＥＤは、半自動モード又は手動モードで操作できる。手動モードに入るためには、救助者は、ただＡＥＤのフロントパネルに配置された手動アクセスボタンを押す必要があるだけである。フロントパネルには残りのボタンがあり、それはソフトキーであって、アクセス可能で、徐細動器のモード及び徐細動器のディスプレイ上の対応メッセージに応じて機能を変更するものである。他の製造者は、異なるモードを区別するために、明るい色やマークを付した命令ボタンやダイヤルを用いることを試みている。しかし残念なことに、これらのアプローチはともに、人間のエラーの可能性が増大する一方の装置を操作するために、ボタン、ソフトキー及び／又はディスプレイあるいは読み取られたものと、処置情報との間で、救助者が解釈し識別することを余儀なくさせる。
【０００５】
アランド他による米国特許第６，０２１，３４９号では、アクセス扉の背後に「手動パーソナリティへの変更」ボタンを隠すことによってこの問題に対処し、手動ボタンを偶発的に押し込んで、救助者が気づかないうちに徐細動器を手動「パーソナリティ」にすることを避ける。しかしながら、ＬＩＦＥＰＡＣＫ（登録商標）３００ＡＥＤに関しては、徐細動器のフロントパネルの残りのボタンが、依然としてアクセス可能で、徐細動器のモード及び徐細動器のディスプレイ上の対応メッセージに応じて機能を変えるものである。その結果、このアプローチでは、紛れることのないインタフェースを提供し、救助者が手動命令ボタンとＡＥＤ命令ボタンとを解釈し区別する必要をなくするという課題を解決しない。
【０００６】
したがって、手動モードと、半自動モード及び／又は自動モードとを有する徐細動器であって、モード間で選択、操作、切換えを行う、すっきりとして直感的に分かるユーザインタフェースを備えるものが求められている。ただし、１つのモードからもう１つのモードへ徐細動器が意図せずに切換わることは、避けなければいけない。
［発明の要約］
本発明は、手動モード及びＡＥＤモードの両モードをもち、両モードに対応するユーザコマンドをもつ除細動器に適用される。この除細動器は、手動ユーザコマンドを隠す扉を備えて、ラッチの駆動あるいは扉の開放のような扉に関連する動作を開始することによって、除細動器が手動モードに入り、その一方手動コマンドが現れるようにされている。
【０００７】
実際の１実施形態では、扉が、ＡＥＤモードユーザコマンドにアクセス可能な開口を備える。扉はまた、閉成位置に扉を保持するラッチを有する組立体と、扉のラッチを解除し扉を開放するためにユーザによって押される駆動スライドとを備える。駆動スライドは、ドアが閉成している間アクセス可能である。駆動スライドの操作によって、扉が閉成している間にボタンが押されて、除細動器を手動モードにし、除細動器を手動モードにすると同時にあるいはわずかに遅れて、ラッチを解除して扉を開放する。扉が開放位置にある場合には、キーパッドが現れ、該キーパッドには、実際の１実施形態ではボタンの形態をとる手動モードユーザコマンドが備わっている。
【０００８】
他の実施形態では、扉が、扉が開放される時を検出し、除細動器を手動モードにするスイッチを備える。この実施形態では、扉は、ＡＥＤモードユーザコマンドボタンをもつ前面と、手動モードユーザコマンドボタンをもつ背面とを備える。背面は、扉開放時に視認可能である。扉はまた、他の手動モードユーザコマンドをもつ除細動器上のキーパッドを隠している。
【０００９】
本発明によって構成される除細動器は、このようにして大きな利点を得ることになる。例えば、本発明の除細動器は、除細動器がＡＥＤモードにあるときには必要がないコマンドを隠すことによって、経験の少ないユーザの使用に対して、整然とした外観を与える一方、経験の多いユーザ向けの複雑な機能を、扉開放時にアクセスできるように保持している。
［好適実施形態の詳細な説明］
添付図面とともに行われる、以下の詳細な説明を参照することにより、本発明の前記した態様及び多くの有利な効果は、より容易により良く理解できる。
【００１０】
発明の好適実施形態を説明するが、本発明の精神及び範囲を逸脱することなく、さまざまな変更が行われることが理解されるであろう。
【００１１】
図１は、本発明を用いるのに適しているＡＥＤモード及び手動モードを有する複数モード除細動器２７０の概略図を示す。除細動器２７０は、ユーザインタフェースパネル又はキーパッド１００を有する筐体を備え、キーパッド又はパネル自体が複数のユーザコマンドを有する。除細動器はまた、表示スクリーン１０２を備え、この表示スクリーンは、ユーザに指示を伝えるか、又は患者の心臓の鼓動もしくは患者ないしユーザの他の情報を表示する。除細動器は中央処理装置１０４（「ＣＰＵ」）を備え、このＣＰＵは、ユーザ、電極、周辺ハードウェア及び／又はその他の医用付属機器、及びセンサから受信される入出力を処理する。周辺ハードウェア（図示せず）は、プリンタ、スキャナ、マイクロホンやスピーカなどのオーディオ機器、もしくは他のコンピュータなどを含む。除細動器はメモリ１０６を備え、このメモリは、手動及びＡＥＤモードの両方で情報処理を行うために用いられる、命令セット又はプログラム可能なアルゴリズムのセットを格納する。除細動器はさらに、センサ及び他の医用付属機器１０８を備え、これらはバイタルサイン及び他の患者パラメータ、例えば心臓の鼓動、ＳｐＯ２レベル、ＣＯ２レベルなどをモニタするために患者に取り付けられる。除細動器はまた、硬いパドルないし使い捨て電極のようなショック治療付与器具を備え、患者に治療用電気ショックを与える。
【００１２】
次に図２を参照して、本発明の実際の第１実施形態を説明する。図２には、除細動器２７０は、除細動器筐体２０２への取付け用ヒンジを有する扉２００を備える。扉２００は、保守のために取り外しできる。ユーザインタフェースパネル１００に配置された特定のコマンドボタンが、扉２００に設けられた開口２０４，２０６，及び２０８を通して、除細動器２７０の前面から見える。図３を参照すると、例えば、第１コマンドボタン２７１（開口２０６を通して見える）は、除細動器２７０の電源をオンオフするために用いる。第２コマンドボタン２７２（開口２０４を通して見える）は、患者の心臓の鼓動を解析して、ショック治療を必要とするか否かを判定するよう除細動器に指示するために用いられる。第３コマンドボタン２７４（開口２０８を通して見える）は、その治療を患者に施すために用いる。突出したコマンドボタンが示されているが、これに代えてタッチスイッチも、本発明の精神及び範囲を逸脱することなく使用可能である。以下に詳細に説明するように、手動モードで使用するさらに他のコマンドボタンもまた、ユーザインタフェースパネル１００に配置されているが、閉じた状態では扉２００の背後で見えない。さらに、除細動器２７０は、表示モニタ１０２に示される情報の粗大又は微細調整用ノブ２１８も備える。除細動器は、第２ＥＣＧモニタに接続用ポート（図示せず）、多くの周辺機器と接続するシリアルポート（図示せず）、及び患者の心臓に治療を施すために用いられる治療用具に接続されるプラグ２３６を備える。これらのポート、接続器、及び入力装置は、扉２００の下に隠されていて図２には示されていないが、当業者であれば、他の実施形態では、さらに未経験救助者のためにユーザインタフェースを単純にするために、例えばＥＣＧやＳＰＯ２のようなコンポーネントは扉の下に配置できることが分るであろう。
【００１３】
実際の一実施形態では、除細動器２７０がＡＥＤモードである場合には、ただユーザコマンドボタン２７１，２７２，及び２７４だけが、開口２０６，２０４，及び２０８を通してアクセスできる。したがって、除細動器２７０の電源が入り、扉２００が閉位置にあるとき、除細動器はＡＥＤモードであり、ＡＥＤコマンドボタンだけがユーザに視認可能でかつアクセス可能である。開口２０６，２０４，及び２０８に加えて、扉２００はまた、状態ランプを見るための少なくとも１個の開口２１０を備える。状態ランプは、例えば、除細動器の電源が入っていて、ショック治療を施す準備ができていることを示す。当業者なら理解できることであるが、例えば、コマンドボタン、状態表示灯などの、ユーザに見せることが求められる機能の数に応じて、除細動器２７０の製造設計に必要と考えられる任意の数の開口を、扉２００が備えることもできる。例えば、ショックボタン２７４を隠し、全自動体外除細動器用ユーザインタフェースすなわち言い換えれば第３モードを提供するために、開口２０８を扉２００から除去することもできる。これとは逆に、付加機能を示すために、さらに開口が付加されることもできる。該付加機能には、例えば視覚的及び／又は聴覚的ＣＰＲプロンプトを形成するためのＣＰＲプロンプト・コマンドボタンがある。機能やボタンの数のほかに、当業者であれば理解できるように、キーパッド１００及び／又は扉２００上の開口及びコマンドボタンの形状、サイズ、配置及び位置は、本発明の精神及び範囲を逸脱することなく変更できる。
【００１４】
図４を参照すると、図２に示した除細動器２７０の扉２００がより詳細に示されている。扉２００は、扉２００の開放用組立体２１１を備える。組立体２１１は、駆動スライド２１２、ラッチ２３０、及びカバー２２８（カバー２２８は図５に示す）を備える。駆動スライド２１２の前面には、立ち上がりリブ２２２を有する。ユーザが、立ち上がりリブ２２２に力を加えると、ラッチ２３０が解除され、続いて扉２００が開く。したがって、立ち上がりリブ２２２は、扉２００の下部に配置された開口２２４を通して突出している。
【００１５】
図６を参照すると、扉２００、駆動スライド２１２、ラッチ２３０、及びカバー２２８の背面から見た駆動組立体２１１の分解組立図が示されている。駆動スライド２１２は、扉２００に取り付けられ、組立て時には、立ち上がりリブ２２２をもつ駆動スライド２１２の前面が、扉２００の背面に面し、立ち上がりリブ２２２が、扉の開口２２４を通して突き出るようになる。
駆動スライド２１２は、扉２００内に駆動スライドを保持するカバー２２８によって扉２００に対して適切に支持される。扉２００上に成形されたクリップ２３２及び２３８は、以下に詳細に説明するように、駆動スライド２１２の水平方向移動を可能にするカバー２２８を保持している。
【００１６】
駆動スライド２１２、カバー２２８、及びラッチ２３０は、お互いに協働して扉２００の閉成機構を提供する。ラッチ２３０は、扉２００の背面に配置される。扉２００の細部例えば支柱２２６は、ラッチ２３０を垂直方向に案内することに役立つ。ラッチ２３０は、カバー２２８によって扉２００に保持される。ラッチ２３０は、ラッチ２３０の下端に配置されている面取り部分２４６を有しており、該面取り部分は除細動器装置のベゼル（図示せず）の穴に係合して、扉２００が閉成状態にあることを確実にする。ラッチ２３０はまた、ラッチのほぼ中央部に配置された支柱２４４を備え、以下に詳細に説明するように、この支柱が駆動スライド２１２に係合する。ラッチ２３０はこのようにして、扉２００上のポスト２２６により垂直方向に移動するように拘束されている。
【００１７】
図６に示すように、カバー２２８は扉２００に取り付けられ、駆動スライド２１２とラッチ２３０は、実質的にカバー２２８によって隠されている。カバー２２８は、扉２００の背面に配置されたクリップ２３２によって、扉２００に保持されている。クリップ２３２は、上向きの縁端２２５を備え、これによりカバー２２８の水平開口２３４及び溝２３６に係合する。扉２００の下端に、上向きの縁端２１６を有するもう１つのクリップ２３８が、クリップ２３２と共にカバー２２８を所定の場所に保持するために備えられる。このようにして、図５に示されるように、カバー２２８は、駆動スライド２１２とラッチ２３０を扉２００の所定の位置に保持することに役立つ。
【００１８】
図６に戻ると、駆動スライド２１２は、ラッチ２３０の支柱２４４を受ける開口２４２内に形成された、斜めのガイドエッジ２４０を有する。支柱２４４は、ラッチ２３０から形成され、支柱２４４の下面がガイドエッジ２４０の上面に乗るように、外方に突出している。ユーザが立ち上がりリブ２２２を押し、駆動スライド２１２が水平にラッチ２３０の方向に動かされと、ガイドエッジは２４０は、ポスト２４４に対して押される。ラッチ２３０は、垂直方向に動くように規制されているので、上方へ移動し、これにより面取り部分２４６も上方へ移動して、扉２００が開放する。
【００１９】
駆動スライド２１２はまた、開口２４２内に形成されたバネ２４８を有し、該バネは、扉２００が閉まっているときには、ラッチによって上方へ押されている。逆に、張力がかかったバネ２４８は、ラッチ２３０が装置本体のベゼルに係合するように、強制的にカチッと戻るように、ラッチ２３０を下方へ偏倚させる。駆動スライド２１２と一体に形成された第２のバネ２５０は、駆動スライド２１２をラッチ２４０から離れるように偏倚させ、ユーザが扉２００の外側から立ち上がりリブ２２２を押すときの動きに対抗する。
【００２０】
駆動スライド２１２はさらに、カバー２２８の前面に対向して、スライド２１２の背面から外方へ突出する傾斜部２５２を備える。同様に、カバー２２８は、切出された可撓性舌片２５４上に配置した傾斜部（図示せず）を備え、これが駆動スライド２１２の傾斜部２５２に対向している。また半球型の突起２５６が、カバー傾斜部（図示せず）の反対側であって、切出された可撓性舌片２５４上に配置されている。スライド傾斜部２５２とカバー傾斜部（図示せず）との端部は、お互いに乗り上げるような角度に形成されている。駆動スライド２１２がラッチ２３０の方向へ移動しているときには、カバー２２８は静止しており、両傾斜部がお互いに対してスライドし、可撓性舌片２５４が扉２００から離れ、除細動器２７０本体の方向へ移動する。駆動スライド２１２が引き続きラッチ２３０方向へ移動し、突起２５６がさらに後方へ押され、除細動器２７０のユーザインタフェースパネル１００に配置され、人の目から隠されている手動モードエントリボタン２５８（図３）を押圧する。扉２００が閉成位置にある間に、駆動スライド組立体２１１により手動モードエントリボタン２５８が駆動されると、除細動器は手動モードにされる。本発明の実際の１実施形態では、手動モードボタン２５８は隠されたままであり、これは、さらにボタンがあれば、モードを切換えるためにボタンを押さなければならないという指示を与えかねず、扉の開放時に経験豊富なユーザを混乱させないようにするためである。
【００２１】
駆動スライド組立体２１１は、４つの状態をもつ。（１）扉２００が閉まり、駆動スライド２１２が、扉２００の開口２２４の右端にある場合で、スライドバネ２５０は弛緩し、ラッチ２３０は飛び出した状態で、装置のベゼルの穴に係合している。（２）扉２００が開き、駆動スライド２１２が、扉２００の開口２２４の右方にある場合で、スライドバネ２５０は弛緩し、ラッチ２３０は飛び出した状態で、扉は、閉まっている状態から約２７０°回転し、除細動器の側面に置かれる。（３）扉２００が開いた状態で、すなわち、駆動スライド２１２がユーザによって左に動かされ、駆動スライド２１２は扉の開口２２４の左方にあり、スライドバネ２５０は曲げられ、スライド２１２の背面の突起２５２は、カバー２２８の突起に係合し舌片２５４を曲げ、手動モードボタン２５８（図３）に突起２５６を押し付ける。キーパッド１００上への突起２５６の押圧により、ドアは外方への力を「プリロード（”ｐｒｅ−ｌｏａｄ”）」として受け、ラッチ２３０の支柱２４４は、駆動スライド開口２４２の斜めのエッジ２４０に乗って上がってゆく。これによりラッチ２３０は、完全な上昇位置まで垂直に移動し、扉２００が扉のプリロードによってバネにより開放される。（４）第４の状態では、扉がユーザにより押し付けられて閉じる場合、スライド２１２は、扉の開口２２４の右方にある。スライドバネ２５０は、弛緩し、ラッチ２３０の面取り部２４６は装置のベゼルに乗り上げる。これにより、ラッチ２３０は垂直に移動し、支柱２４４は、駆動スライドの開口２４２のバネ部材２４８を押す。市中２４４によるバネ部材２４８への圧力により、面取り部２４６がベゼルの穴に対して直線的に移動するとすぐに、ラッチ２３０は伸びた位置に復帰する。
【００２２】
図７〜９を参照して、先に図を用いて説明された除細動器２７０に用いられる扉３００の他の実施形態が、次に詳細に説明される。この実施形態では、扉３００は開口３０６，３０４，及び３０８とを有し、除細動器２７０がＡＥＤモードのとき、これらを通してユーザコマンドボタン２７１，２７２，及び２７４のみが、アクセス可能である。したがって、除細動器が電源オンにされ、扉３００が閉成位置にあると、除細動器２７０はＡＥＤモードにあり、ユーザが見ることができアクセスすることができるのは、ＡＥＤコマンドボタンだけである。開口３０４，３０６，及び３０８の他に、扉３００は、状態表示灯を見るための少なくとも一つの開口３１０を有する。状態表示ランプは、例えば、除細動器２７０の電源がオンされ、ショック治療を与える用意ができていることを示す。当業者であれば理解できるように、扉３００は、除細動器２７０の製造設計に必要と思われる数だけの数の開口を備えていてもよい。この数は、例えば、コマンドボタン、状態表示灯、その他、ユーザに見せておくように求められる特徴の数に依存している。例えば、ショックボタンを隠し、完全な全自動体外式除細動器、言い換えれば第３モードのユーザインタフェースを与えるために、開口３０８を扉３００から除くこともできる。逆に、除細動器２７０の他の特徴を見せるように、他の開口が設けられてもよい。開口とボタンの数に加えて、当業者であれば理解できるように、キーパッド１００及び／又は扉３００の開口及びコマンドボタンの形状、サイズ、構成、及び配置は、本発明の精神及び範囲を離れることなく変更することができる。
【００２３】
図７を参照して、除細動器２７０の扉３００は、扉３００を開けるための組立体３１１を含む。組立体３１１は、駆動スライド３１２、ラッチ３３０、及びカバー３２８（カバー３２８は図８に示されている）を備える。図９にもっともよく示されているが、駆動スライド３１２の一端は、内方に伸びるフランジ３２２をもつ横方向の側壁を有する。スロット又は溝３２０が、該横方向側壁に形成され、ユーザの指特に親指を受けるのに適する大きさにされている。ユーザがスロット３２０を押し、ラッチ３３０を解除すると、扉３００が開く。図７に示されているように、スロット３２０は、扉３００の下部に配置された開口３２４を通して突き出ている。
【００２４】
さらに、図９、すなわち扉３００の背面から見た駆動組立体３１１の分解斜視図を参照すると、駆動スライド３１２、ラッチ３３０、及びカバー３２８が示されている。駆動スライド３１２の端部が、組み立てたときに扉の開口３２４を通して突出するように、駆動スライド３１２が扉３００に取り付けられる。駆動スライド３１２は、カバー３２８によって扉３００に対して適所に保持され、カバー３２８は、駆動スライドを扉３００内に維持する。扉３００に一体成形されたクリップ３３２及び３３８は、以下に詳細に説明するように、カバー３２８を保持し、駆動スライド３１２を水平方向に移動可能にする。
【００２５】
駆動スライド３１２、ラッチ３３０、及びカバー３２８はお互いに協働して、扉３００の閉成機構を提供している。ラッチ３３０は、扉３００の背面に配置される。支柱３２６のような扉３００の細部は、ラッチ３３０が垂直方向に移動するのをガイドするのに役立っている。ラッチ３３０は、カバー３２８によって扉３００に保持されている。ラッチ３３０は、ラッチ３３０の下端に配置された面取り部３４６を備え、扉３００を閉成位置に固定するための除細動器のベゼル（図示せず）の孔に係合するようにしている。ラッチ３３０はまた、以下に詳細に説明するように、駆動スライド３１２に係合する支柱であって、ラッチのほぼ中央に配置された支柱３４４を備える。このようにして、ラッチ３３０は、扉３００の支柱３２６によって、垂直方向に移動するように拘束されている。
【００２６】
図９によると、駆動スライド３１２とラッチ３０とが、実質上カバー３２８によって隠されるように、カバー３２８が取り付けられる。図９に示したように、カバー３２８は、その下端に配置された矩形のスロット３２９を備える。駆動スライド３２９のフランジ部３２２がスロット３２９内で平行移動でき、ラッチが解除され、扉が開放されるように、スロット３２９は、適当な大きさを持つ。カバー３２８は、扉３００の背面に位置するクリップ３３２で保持されている。クリップ３３２は、カバー３２８の水平開口３３４と溝３３６に係合する上向きの端縁３３９を備える。扉３００の底縁には、他のクリップ３３８が、カバー３２８を適切な位置に保持するように備えられる。このようにして、図８に示すように、カバー３２８は、駆動スライド３１２とラッチ３３０を適切に保持するのに役立つ。
【００２７】
また図９を参照すると、駆動スライド３１２は、開口３４２に形成された斜めのガイドエッジ３４０を有し、これによりラッチ３３０の支柱３４４を支持する。支柱３４４は、ラッチ３３０から形成され、外方に突出し、支柱３４４の下面が、ガイドエッジ３４０の上面に乗っている。ユーザがスロット３２０を押し、駆動スライドが扉のヒンジ側の方向へ水平に移動すると、ガイドエッジ３４０は、支柱３４４に押しつけられる。ラッチ３３０は、垂直方向に動くように拘束されているので、面取り部３４６を上昇させ、扉３００を開放する。
【００２８】
駆動スライド３１２はまた、開口内に形成されたバネ３４８を有し、このバネは、扉３００が閉まっているとき、ラッチによって上方に押圧されている。張力がかかったバネ３４８は、ラッチ３３０を下方に偏倚させ、ラッチ３３０が装置ベゼルに係合するように、強制的に反発力を加えている。駆動スライドと一体的に形成された第２のバネ３５０は、ドアのヒンジ側から離れるように駆動スライド３１２を偏倚させ、ユーザが扉の外側からスロット３２０を押す場合の動きに抵抗する。
【００２９】
駆動スライド３１２はさらに、駆動スライド３１２の後部から内側に向けてテーパ状になり、カバー３２８の前面面している傾斜部３５２を有する。これに対して、カバー３２８は、可撓性切り抜き舌片３５４上に配置され、駆動スライド３１２の傾斜部３５２に面する傾斜部（図示せず）を有する。半球状の突起３５６は、可撓性切り抜き舌片３５４上で、カバーの傾斜部（図示せず）の反対側に上に配置されている。スライドの傾斜部３５２とカバーの傾斜部（図示せず）とは、お互いに乗り上げる傾斜縁部を有している。駆動スライド３１２が扉のヒンジ側に移動し、傾斜部がお互いに対して滑って移動するとき、カバー３２８は静止しているので、可撓性舌片３５４は、扉３００から離れ除細動器２７０の方へ移動する。駆動スライド３１２は、扉のヒンジ側に移動し続けるので、突起３５６はさらに後方へ押され、除細動器２７０のユーザインタフェースに配置された、人目につかない手動モードエントリボタン２５８（図３）を押す。組立体３１１により手動モードエントリボタン２５８が投入されることによって、扉３００が閉位置にある間に、除細動器は手動モードとなる。本発明の実際の１実施形態では、手動モードボタン２５８はずっと人目につかないままにしてあり、扉を開けたときに、モードを切換えるためにさらに他のスイッチを押す必要があるという指示を与えて、経験豊富なユーザを困惑させないようにしてある。
【００３０】
組立体３１１は、次の四つの状態をとる。（１）扉３００が閉成している場合で、駆動スライド３１２が、扉３００内の開口３２４から突出し、スライドバネ３５０が弛緩しており、かつラッチ３３０が伸びている位置にあり、装置のベゼルの孔に係合している。（２）扉３００が開放している場合で、駆動スライド３１２が、扉３００内の開口３２４から突出し、スライドバネ３５０が弛緩しており、ラッチ３３０が伸びている位置にあり、かつ扉が閉成位置から約２７０°まで回転して、除細動器の側面にある。（３）扉３００が開放されつつあるとき、すなわち駆動スライド３１２が除細動器に面したままでユーザにより右方に移動させられ場合、スライド３１２は、扉の開口３２４内の右に位置し、スライドバネ３５０が収縮し、スライド３１２の背後の傾斜部３５２がカバー３２８の傾斜部と係合し、舌片３５４を収縮させ、突起３５６を手動モードボタン２５８（図３）に対して押し付ける。キーパッド１００上への突起３５６の圧力は、外方への力で扉を「プリロード」し、かつラッチ３３０の支柱は、駆動スライド開口３４２の傾いたエッジ３４０に乗っている。これにより、ラッチ３３０は、完全に上昇する位置まで垂直に移動し、扉３００が扉のプリローディングによって付勢されて開放される。（４）第４の状態では、扉３００は、ユーザによって押圧され閉成されている場合で、駆動スライド３１２が、扉３００内の開口３２４から突出している。スライドバネ３５０が弛緩し、かつラッチ３３０の面取り部３４６が、装置のベゼルに乗り上げている。これにより、ラッチ３３０は垂直に移動し、支柱３４４は駆動スライド開口３４２のバネ部材３４８に押し付けられる。面取り部３４６がベゼルの孔に水平に移動するとすぐに、支柱３４４によるバネ部材３４８に対する圧力により、ラッチ３３０は伸びた位置に復帰させられる。
【００３１】
ここに説明した他の実施形態によって構成された扉は、扉が閉まっているときに、駆動スライド２１２又は３１２を介して手動モードボタン２５８（図３）にアクセス可能とし、駆動スライドにより、除細動器のモードをＡＥＤから手動モードへ変更する。モード変更とともにあるいはその後すぐに、扉のラッチが開放され、扉が開放されその下に隠された手動モードコマンドボタンが現れる。明確にするために、以後の説明は、扉２００を参照して記載するが、当業者には理解されるように、扉３００も、除細動器のモードをＡＥＤから手動モードへ変更するために用いることができる。
【００３２】
図３に戻って、扉２００によって、手動モード及びＡＥＤモードのコマンドボタンを備えるユーザインタフェースパネル又はキーパッド１００が隠されている。ソフトキーが使用されてもよいが、図３に示す本発明の実際の１実施形態ではボタンが使用されている。ユーザインタフェースパネル１００は、除細動器が手動モードにある場合に使用される複数の手動ボタン２６２、２６４及び２６６を備える。手動モードボタン２５８は、扉が閉成位置にあるときに組立体２１１により駆動されるモード変更ボタンである。しかし、先に注意したように、キーパッド１００は、除細動器を手動モードで制御あるいは操作するための複数のボタンを備えてもよい。さらに他の実施形態では、先に注意したように、ユーザインタフェースパネルは、除細動器に取り付けられる他の医用付属品及びセンサのためのポートを備えることも可能である。したがって、必要なら、除細動器２７０のユーザインタフェースは、ＡＥＤモードで応答する経験の少ない人にとっては必要でもなく要望もない、すべての制御手段や機能その他を取り去ることもできる。そして、手動モードに入ることにより、除細動器の操作に影響を与える変更を引き起こす。例えば、経験豊富なユーザが適切なショック療法を与えるために役立つ心電図（「ＥＣＧ」）機能が表示装置１０２に表示可能とされる。その一方経験のない又は経験の少ないユーザに役立つ機能、例えば目に見えるＣＰＲプロンプトは、消されるかあるいは一時的に経験のない操作者から隠される。
【００３３】
本発明による扉は多くの利点を提供する。扉は、経験の少ないユーザにとって、混乱したところのないユーザインタフェースを提供する。扉は手動モードコマンドボタンを隠している。扉は、扉が閉まっている場合でも手動モードボタンへのアクセスを提供する。したがって、未経験のユーザが意図しないで扉２００を開け、除細動器を手動モードにするという危険性、及び／又は手動モードコマンドボタンを見せて、未経験のユーザを困惑させるという危険性が、実質上減少する。
【００３４】
図１０及び１１は、本発明の実際の他の実施形態に従って構成された除細動器４３０と扉４０８を示す概略図である。図１０に示すように、ＡＥＤコマンドボタン４０２、４０４及び４０６が、その下のキーパッドではなく、扉４０８自体の外側に配置されている。除細動器４３０及び扉４０８は、ホール効果スイッチあるいはリレースイッチ（図示せず）のようなセンサを備え、センサによって扉４０８の開放を検出し除細動器を手動モードにおく。しかし、本実施形態の除細動器が、手動モードに入るために、前述した駆動スライド機構と手動モードエントリボタンを備えてもよいことは、容易に理解されるであろう。
【００３５】
図１１に示すように、ユーザインタフェースパネル又はキーパッド４１０は扉４０８によって隠されて、多数の手動ユーザコマンドボタン４１２〜４２０を備えている。また、さらに多くの手動ユーザコマンドボタン４２２〜４２８が、扉４０８の背面に配置されている。容易に理解されるように、種々の除細動器の機能や特性、すなわち充電、エネルギー選択、心臓同期バージョン、アラーム等を制御するための、多くの手動モードコマンドボタンを、扉４０８は備えることができる。扉４０８が外側に回転し、手動モードコマンドボタン４１２〜４２８が、扉４０８の背面及びキーパッドの両方に見える。したがって、扉が閉まっているときには、手動モードコマンドボタンは扉の背後に隠れて見えない。図１０及び１１に描かれた実施形態によると、先の実施形態と同様に、未経験のユーザに整理された外観を提供し、他方では、経験のあるユーザに対して、扉によって隠されている高度な手動機能、すなわち、手動モードコマンドボタンと、素早く簡単に除細動器のモードを切換える扉とを提供する。
【００３６】
次に図１２を参照すると、モード変更機能の操作を示すフローチャートが示され、扉が閉まっている除細動器の電源をオンにすることから始まる。ブロック６００では、通常「オン」ボタン２７１を押圧することに応じて、除細動器の電源がオンにされる。次いで、除細動器は、ブロック６０２でＡＥＤモードに入る。これについては、扉の開放あるいは閉成に関係なく、さらにたとえ扉がなくても、ＡＥＤモードに入るものである。これは安全機能であって、除細動器を手動モードにするために、専門家であるユーザに負担を負わせている。
【００３７】
通常の環境では、電源が投入されるときには、扉はたいてい閉まっており、したがって、ブロック６０４に示す、扉のラッチの解除すなわち扉の開放、及び駆動組立体２１１を介する手動アクセスボタン２５８の押圧のような動作により、ブロック６０６に示すように、除細動器を手動モードにする。手動モードではいくつかの機能、例えばＥＣＧ波形表示機能を呼び出すことが可能であり、他方手動モードでは不必要な他の機能は動作不可にされたり、隠されたりする。
【００３８】
意図して扉が開けられたのなら、通常の環境で次に最もよく起こることは、ブロック６０８のように、すなわち、治療が経験のあるユーザによって実行された後、扉を閉めることである。しかしながら、この動作によっても、ブロック６１０に示されるように、除細動器は手動モードのままである。
【００３９】
次に最もよく起こることは、ブロック６１２において、ユーザが電源ボタンを押圧して、除細動器の電源を切ることである。除細動器の電源が再びオンされると、ブロック６００及び６０２に示されるように、除細動器は始動しＡＥＤモードに戻り、また、経験のあるユーザに、ＡＥＤモードから手動モードに変更するという負担を負ってもらう。経験のあるユーザは、除細動器の機能をよく知っていると想定されるので、始動時のフェイルセーフの状態をＡＥＤモードとしている。図１２は、本発明の実際の１実施形態によるモード変更機能の操作の順序を示すが、当業者ならよく理解できるように、あるステップの順序は変更可能であり、また、本発明の精神と範囲を逸脱することなく、あるステップそれ自体が変更及び／又は追加・削除されることができる。例えば、本発明の他の実際の実施形態では、除細動器は手動モードで立ち上がるが、コマンドボタンがまったく押されないか又はどんな動作も行われなかったなら、時間切れでＡＥＤモードになるようにしてもよい。さらに他の例では、除細動器は、扉を閉じると、すぐに電源が切れるか、又はＡＥＤモードに戻ることができる。
【００４０】
最後に図１３を参照すると、状態図が示され、本発明によって形成される複数モード除細動器の異なる状態を扉の開閉位置とともに示している。除細動器が電源オフモード７００にあるとき、電源オンによって、扉の開閉に拘わらず除細動器はＡＥＤモード７０２となる。ＡＥＤモード７０２にあるとき、扉が電源オン時に開放され（すなわち、扉が開いている間にボタン２７１を押す）その後閉成された場合は、除細動器はＡＥＤモード７０２にとどまる。しかしながら、電源オンで扉が閉じられ、その後ＡＥＤモード７０２の間に開放７０６されると、除細動器は手動モード７０８に入る。その後手動モード７０８の間では、扉の閉成７０４あるいは開放７０６は、除細動器の状態もしくはモードには何の影響もない。すなわち、除細動器の電源がオフ７００され、再度電源オンされるまで、除細動器は手動モード７０８にとどまる。このように、除細動器は、手動モード７０８を終了することによって、ＡＥＤモード７０２に入る。
【００４１】
発明の好適実施形態が説明され記載されたが、本発明の精神と範囲とを逸脱することなく各種設計変更が実行可能であることは理解されよう。例えば、扉を閉位置に確実に保持し、未経験のユーザがうっかり開けてしまうことのないようにするために、扉に施錠し、経験豊富なユーザがその鍵、ダイヤル錠の数字、あるいはその他開錠手段を所有するようにできる。さらに、扉は、それを通してＡＥＤモードコマンドボタンを表わす一方、手動モードコマンドボタンへのアクセス手段を隠すために必要な形状あるいは配置とすることができる。例えば、扉は、扉の縁部に配置されたリブで扉を開放する組立体を持つように構成され得る。
【図面の簡単な説明】
【図１】
本発明に従って形成された徐細動器を示す概略図である。
【図２】
本発明に従って形成された徐細動器であって、ＡＥＤモードにアクセスする扉が閉まっている状態を示す図である。
【図３】
図２の除細動器であって、扉が開いて、手動モードコマンドボタンを備えるキーパッドが現れている状態を示す図である。
【図４】
本発明に従って構成された扉前面を示す平面図である。
【図５】
図４の扉の背面を示す平面図である。
【図６】
図４の扉を示す分解組立図である。
【図７】
本発明に従って構成された扉の代替実施形態の前面を示す平面図である。
【図８】
図７の扉の背面を示す平面図である。
【図９】
図７の扉を示す分解組立図である。
【図１０】
扉の前面のＡＥＤモードコマンドボタンを備える図１の徐細動器の他の実施形態を示す概略図である。
【図１１】
図１０の除細動器であって、扉が開いて、手動モードコマンドボタンが現れている状態を示す概略図である。
【図１２】
本発明に従って作成された除細動器の動作フローチャートを示す図である。
【図１３】
本発明に従って作成された除細動器の手動モード及びＡＥＤモードの状態図を示す図である。
【図１】
2004512909.tif 000003
【図１２】
2004512909.tif 000004
【図１３】
2004512909.tif 000005
【国際公開パンフレット】
2004512909.tif 000006
2004512909.tif 000007
2004512909.tif 000008
2004512909.tif 000009
2004512909.tif 000010
2004512909.tif 000011
2004512909.tif 000012
2004512909.tif 000013
2004512909.tif 000014
2004512909.tif 000015
2004512909.tif 000016
2004512909.tif 000017
2004512909.tif 000018
2004512909.tif 000019
2004512909.tif 000020
2004512909.tif 000021
2004512909.tif 000022
2004512909.tif 000023
2004512909.tif 000024
2004512909.tif 000025
2004512909.tif 000026
2004512909.tif 000027
2004512909.tif 000028
2004512909.tif 000029
2004512909.tif 000030
2004512909.tif 000031
2004512909.tif 000032
2004512909.tif 000033
2004512909.tif 000034
2004512909.tif 000035
2004512909.tif 000036
2004512909.tif 000037
2004512909.tif 000038
2004512909.tif 000039
2004512909.tif 000040
【国際公開パンフレット（コレクトバージョン）】
2004512909.tif 000041
【手続補正書】
【提出日】平成15年2月13日(2003.2.13)
【手続補正１】
【補正対象書類名】明細書
【補正対象項目名】特許請求の範囲
【補正方法】変更
【補正の内容】
【特許請求の範囲】
【請求項１】
モード切換スイッチと、
前記スイッチと連絡する駆動体を有する扉とを備え、前記駆動体が前記スイッチを駆動して第１モードから第２モードへ切換える除細動器。
【請求項２】
前記第１モードがＡＥＤモードであり、前記第２モードが手動モードである請求項１に記載の除細動器。
【請求項３】
前記扉は前記第２モードを隠している請求項２に記載の除細動器。
【請求項４】
前記扉は第１モードユーザコマンドにアクセスするための複数の開口を備える請求項３に記載の除細動器。
【請求項５】
前記駆動体は、ラッチと突起を有する請求項１に記載の除細動器。
【請求項６】
前記スイッチは、前記扉が閉のときアクセス可能である請求項５に記載の除細動器。
【請求項７】
前記第２モードユーザコマンドは押しボタンである請求項６に記載の除細動器。
【請求項８】
前記モード変更スイッチにより、前記除細動器を第１モードにする他のユーザ入力がないうちは、前記除細動器を第１モードから第２モードへ変更する請求項１に記載の除細動器。
【請求項９】
前記ユーザ入力は、前記除細動器の電源を切ってから電源を入れる事を含む請求項８に記載の除細動器。
【請求項１０】
第１モード及び第２モードをもつ除細動器であって、
隠されたモードに切換えるスイッチと、
前記スイッチと関連して動作する扉とを備え、
さらに他のユーザ入力によって第１モードとされるまで、前記スイッチによって前記除細動器を第１モードから第２モードへ変更できる除細動器。
【請求項１１】
前記ユーザ入力は、前記除細動器の電源を切ってから該電源を入れることを含む請求項１０に記載の除細動器。
【請求項１２】
前記扉は、第２モードユーザコマンドを隠している請求項１０に記載の除細動器。
【請求項１３】
前記扉は第１及び第２側面を有し、第１側面に第１ユーザモードユーザコマンドが配置され、第２側面には第２モードユーザコマンドが配置される請求項１２に記載の除細動器。
【請求項１４】
前記第１モードはＡＥＤモードであり、前記第２モードは手動モードである請求項１３に記載の除細動器。
【請求項１５】
前記第２モードユーザコマンドは押しボタンである請求項１４に記載の除細動器。
【請求項１６】
第１モード及び第２モードをもつ除細動器であって、
隠されたモードに切換えるスイッチと、
前記モード切換スイッチをトリガー可能な扉とを備え、
前記扉は、扉閉成時には第２モードユーザコマンドを隠し、扉に関連する動作があればいつでも前記モード切換スイッチが前記除細動器を第２モードに変更する除細動器。
【請求項１７】
前記ユーザコマンドはボタンである請求項１６に記載の除細動器。
【請求項１８】
前記第１モードはＡＥＤモードであり、前記第２モードは手動モードである請求項１７に記載の除細動器。
【請求項１９】
前記動作は、前記扉のラッチを外すことである請求項１８に記載の除細動器。
【請求項２０】
前記動作は、前記扉の開放である請求項１８に記載の除細動器。
【請求項２１】
手動モードで除細動器を操作する手動コマンドボタンと、
ＡＥＤモードで除細動器を操作するＡＥＤコマンドボタンと、
除細動器に取り付けられた扉とを備え、該扉は、前記手動コマンドボタンを隠すとともに、前記扉の閉成時に前記扉の背後に配置される前記ＡＥＤコマンドボタンにユーザがアクセス可能である体外式除細動器。
【請求項２２】
前記扉は、前記ＡＥＤコマンドボタンにユーザがアクセス可能とする複数の開口を備える請求項２１に記載の除細動器。
【請求項２３】
前記扉の閉成時前記扉によって覆われるモード切換スイッチを備える請求項２２に記載の除細動器。
【請求項２４】
前記扉の閉成時に前記スイッチにアクセスする駆動体を、前記扉がさらに備える請求項２３に記載の除細動器。
【請求項２５】
前記スイッチは、前記扉の開放時に駆動される請求項２４に記載の除細動器。
【請求項２６】
モード切換扉を備える除細動器の使用方法であって、
前記除細動器の電源投入時前記除細動器を第１モードとするステップと、
前記モード切換扉を開放することにより前記除細動器を第２モードとするステップと、
前記除細動器の電源を切った後該電源を入れることにより前記除細動器を第１モードに戻すステップとを備える除細動器の使用方法。
【請求項２７】
すべてのモードにおいてモード変換扉の閉成により、前記除細動器を異なるモードにすることはない請求項２６に記載の除細動器。
【請求項２８】
前記第１モードはＡＥＤモードであり、前記第２モードは手動モードである請求項２６に記載の除細動器。
【国際調査報告】
2004512909.tif 000042
2004512909.tif 000043
2004512909.tif 000044